(57)【要約】【課題】  薬剤等の服用が必要となった場合に一度に使う量の水を封入した使い捨ての携帯用水収納容器を提供する。【解決手段】  開口部１１を有して内部に薬剤服用時に飲む程度の水を収納することができる水収納容器枠体１０と、前記水収納容器枠体１０の前記開口部１１を水密に閉塞しているフィルム材１２とを有し、前記開口部１１を開放する場合には前記フィルム材１２を開口部１１の周縁から容易に剥離できるようにした。【選択図】  図１
0003112563.tif 000002
【実用新案登録請求の範囲】
【請求項１】
開口部を有して内部に薬剤服用時に飲む程度の水を収納することができる水収納枠体と、前記水収納枠体の前記開口部を水密に閉塞しているフィルム材とを有し、前記開口部を開放する場合には前記フィルム材を開口部の周縁から容易に剥離可能としたことを特徴とする薬剤服用時の携帯用水収納容器。
【請求項２】
前記水収納枠体の複数個が連結されて一体に成形されている請求項１に記載の薬剤服用時の携帯用水収納容器。
【請求項３】
前記水収納枠体の複数個がケースに収納されている請求項１に記載の薬剤服用時の携帯用水収納容器。
【考案の詳細な説明】
【技術分野】
【０００１】
本考案は、薬剤服用時に一度に使用する量の水を封入した水収納枠体からなる使い捨ての携帯用水収納容器に関するものである。
【背景技術】
【０００２】
従来、薬やサプリメントのような薬剤類（以下「薬剤」という）を服用する場合、水と、水を飲むためのコップ等の容器が必要である。そして、外出時には給水設備と容器がないために、簡単に薬剤を服用することができない。そのため、薬剤を飲もうとする人は、外出先で薬剤を服用する必要となった場合に、自動販売機で水の入った缶またはペットボトルを購入して薬剤の服用をしていた。
【考案の開示】
【考案が解決しようとする課題】
【０００３】
しかしながら、自動販売機で購入した缶やペットボトルは、２００ｃｃとか５００ｃｃであって薬剤の服用時に使用する水の量としては多すぎるので、一度に飲みきれないし、水が余った場合に無駄にしないため、及び処理に困ることがあるので、自宅まで持ち帰ることになる。しかも、缶やペットボトルは嵩張るばかりでなく、水が残っていると重くて携帯に不便である、という課題がある。
【０００４】
この考案は、上記課題を解決するために、一回の薬剤等の服用時に必要な量の水を封入した使い捨ての携帯用水収納容器を提供するもので、薬剤が液状、顆粒状、錠剤等どの様な形態であっても、服用時に必要な水の量は５０ｃｃ程度で充分であるから、前記水収納容器に封入する水量は５０ｃｃ程度でよいものである。
【課題を解決するための手段】
【０００５】
上記課題を解決するために、本願の請求項１に記載された考案は、開口部を有して内部に薬剤服用時に飲む程度の水を収納することができる水収納枠体と、前記水収納枠体の前記開口部を水密に閉塞しているフィルム材とを有し、前記開口部を開放する場合には前記フィルムを開口部の周縁から容易に剥離できることを特徴とする薬剤服用時の携帯用水収納容器である。
【０００６】
また、請求項２に記載の考案は、前記水収納枠体の複数個が接続されて一体に成形されている請求項１に記載の携帯用水収納容器である。
【０００７】
また、請求項３に記載の考案は、前記水収納枠体の複数個がケースに収納されている請求項１に記載の携帯用水収納容器である。
【考案の効果】
【０００８】
本考案の薬剤服用時の携帯用水収納容器によれば、屋外であれ屋内であれ、薬剤の服用が必要となった場合に、どの様な種類の薬剤であっても、一気に飲み込む程度の量の水を水収納枠体に封入してあるので、未使用時には小型であって嵩張らないので保存や携帯にきわめて有効であり、また使用後には内部に水が残っていないのでそのまま廃棄することができる。
【０００９】
また、水収納枠体を複数個連結したり、或いはケースに収納すると、複数回の薬剤服用時に利用できるため、例えば登山とか長時間の車運転時のように、水を簡単に得ることができない状況であっても、携帯していることにより、きわめて簡単に薬剤を服用することができる。
【考案を実施するための最良の形態】
【００１０】
以下、図面に基づいて本考案の実施の形態を説明する。
【実施例】
【００１１】
図１（ａ）は本考案に係る薬剤服用時の携帯用水収納容器の実施例１の斜視図、（ｂ）は（ａ）の一部の縦断面図、図２（ａ），（ｂ）は形状を異ならせた本考案の実施例２および実施例３の携帯用水収納容器の斜視図、図３は複数個の水収納枠体が連結されて一体に成形された実施例４の携帯用水収納容器の斜視図、図４は複数個の携帯用水収納容器をケースに収納した状態の実施例５の斜視図である。
【００１２】
図１（ａ），（ｂ）において、本考案の実施例１の携帯用水収納容器１は、一端に開口部１１を有して他端が閉塞し、両端が半円弧状となっている薄手の筒状水収納枠体１０である。前記水収納枠体１０は、内部に、薬剤服用時に一度に飲み込む程度の量の水、例えば５０ｃｃ程度の水を収納する内容積である。そして、前記水収納枠体１０の開口部１１は、フィルム材１２によって水密に閉塞されている。
前記水収納枠体１０は樹脂製であり、またフィルム材１２は金属箔若しくは樹脂シートからなって、接着剤、ヒートシールなど公知の手段によって水収納枠体１０の開口部１１の周縁に固着されている。そして、水収納枠体１０の開口部１１を開放する場合には、図１（ａ）に示したようにフィルム材１２を開口部１１の周縁から捲り上げることにより、容易に剥離して、簡単に開封することができる。
したがって、薬剤の服用時に、水収納枠体１０を開放して、内部の水とともに薬剤を服用し、使い終わった場合にはそのまま廃棄することができる。
【００１３】
図２（ａ）の実施例２の携帯用水収納容器１ａは、一端に開口部１１ａを有する円筒状の水収納枠体１０ａであって、内容積は水が５０ｃｃ程度収納することができ、前記開口部１１ａはフィルム材１２ａで水密の閉塞されている。
【００１４】
また、図２（ｂ）の実施例３の携帯用水収納容器１ｂは、一端に開口部１１ｂを有するきわめて薄手の扁な平筒状の水収納枠体１０ｂであって、その一端の開口部１１ｂがフィルム材１２ｂで水密に閉塞されている。
【００１５】
前記実施例２および３においても、水収納枠体１０ａ，１０ｂは、実施例１の水収納枠体１０と同様に樹脂製であり、フィルム材１２ａ，１２ｂも金属箔、または樹脂シートからなって、接着剤とかヒートシールなど公知の手段により水収納枠体１０ａ，１０ｂの開口部１１ａ，１１ｂの周縁に水密に固着されている。そして、フィルム材１２ａ，１２ｂの一部には、剥離用操作部１３ａ，１３ｂが設けられており、この剥離用操作部１３ａ，１３ｂを指先で摘んで引き上げることにより、フィルム材１２を開口部１１の周縁から容易に剥離して、簡単に開封することができる。
【００１６】
また、水収納枠体１０ａ，１０ｂの容積は実施例１の水収納枠体１０と同じであり、水収納枠体１０ａ，１０ｂ内には、実施例１の水収納枠体１０と同様に薬剤服用時に一度に飲む程度の水の量である５０ｃｃ程度が封入されている。
【００１７】
図３の本考案の実施例４は、複数個の水収納枠体１０ｃが側面同士を帯状の連結部２１により接続されて一体に成形された携帯用水収納容器２０であり、各帯状の連結部２１の中程には隣接する各水収納枠体１０ｃの軸方向に沿って切断用の線状薄肉部２２が設けられている。なお、水収納枠体１０ｃは実施例１の水収納枠体１０と略同じ形状であり、各水収納枠体１０ｃ内には、薬剤服用時に一度に飲む程度の水５０ｃｃ程度が入れられていて各水収納枠体１０ｃの開口部はフィルム材１２ｃで閉塞されている。
【００１８】
この実施例４の携帯用水収納容器２０は、外出時に薬剤を服用する機会が数回必要となる場合に使用するもので、複数個の水収納枠体１０ｃが一体に成形されている。そして、利用者は、薬剤の服用時に、１つの水収納枠体１０ｃを薄肉部２２に沿って切り離し、開封して使用に供すればよい。
したがって、利用者は、外出時において、薬剤を服用する都度、１つの水収納枠体１０ｃを切り離して薬剤を服用することができる。
【００１９】
また、図２ａの実施例２に示す形状の携帯用水収納容器１ａの複数個を、ケース３０に収容して蓋３０ａをすることにより、使用者は外出時において、薬剤を服用する都度、ケース３０から一つの携帯用水収納容器１ａを取り出して薬剤を服用するができるので、ケース３０に収容した数に応じて、薬剤を複数回服用することができる。
【００２０】
このように本考案の携帯用水収納容器は、薬剤服用時に一度に使用する量の水として約５０ｃｃを、一端に開口部を設けてある水収納枠体に収納し、開口部をフィルム材で水密に閉塞している。したがって、携帯用水収納容器の大きさは、ポケット、バッグ、カバンの中に入れられるサイズであってきわめて携帯に簡単に供することができ、特に中高年から若い人、子供まで幅広く利用することができる。また、軽量であって小型であるために携帯がきわめて容易なので、旅行、ハイキング、ドライブ、ゴルフ、つり等の旅先や、乗り物の乗車中においても飲料水のない場所で、通常時及び緊急時には関係がなく、薬剤の服用ができるものである。
さらに、水収納枠体の内部の水を無味、無臭なミネラルウオーターであって、内部を真空にすると、きわめて長期間の保存に耐えることができるため、実用的価値が著しく高まるものである。
【００２１】
また本考案によれば、薬剤を服用するときに使用するので、病院、薬局、医療所などで販売する薬剤とセットにして販売したり、若しくはその様な場所において別売りにして販売すると、利用者が手軽に入手することができる。
【００２２】
なお、本考案における各実施例では、樹脂製の水収納枠体の開口部を、接着剤やヒートシールにより金属箔、または樹脂シートからなるフィルム材で閉塞する場合について説明したが、水収納枠体の開口部をフィルム材で水密に閉塞するけれど、きわめて簡単に開放できるのであれば、どの様な方法でも利用することができる。
また、水収納枠体においては、図面に示す各種の筒状ばかりでなく、カップ状、椀状、ボトル状などあらゆる形状のものを利用することができる。
【００２３】
そして、本考案は前記実施例に限定されるものではなく、実用新案登録請求の範囲に記載された本考案を逸脱することがなければ、種々の設計変更が可能であり、前記実施例に限定されないことはいうまでもない。
例えば、一時的に少量の水を飲んで口を潤わせる場合、その他の用途にも広く利用することができる。
【図面の簡単な説明】
【００２４】
【図１】（ａ）は本考案に係る薬剤服用時の携帯用水収納容器の実施例１の斜視図、（ｂ）は（ａ）の断面図である。
【図２】（ａ），（ｂ）は形状を異ならせた実施例２および実施例３の携帯用水収納容器の斜視図である。
【図３】複数個の水収納枠体が一体に成形された実施例４の携帯用水収納容器の斜視図である。
【図４】複数個の携帯用水収納容器がケースに収納された状態の斜視図である。
【符号の説明】
【００２５】
１，１ａ，１ｂ，２０  携帯用水収納容器
１０，１０ａ，１０ｂ，１０ｃ  水収納枠体
１１，１１ａ，１１ｂ  開口部
１２，１２ａ，１２ｂ，１２ｃ  フィルム材
２１  連結部
２２  薄肉部
３０  ケース
３０ａ  蓋
【図１】
0003112563.tif 000003
【図２】
0003112563.tif 000004
【図３】
0003112563.tif 000005
【図４】
0003112563.tif 000006